(57)【要約】【課題】  機器を利用するときにその画像を内部記憶装置に記憶するとともに、その操作をした日時や内容、操作者を併せて記録することにより、情報の不正持ち出しを抑止する電子機器を提供する。【解決手段】  読み取った原稿画像を印刷するか、ネットワーク経由でパーソナルコンピュータに配信する機能を有している複写機・プリンタを含む電子機器において、内部に画像を蓄積するＨＤＤを含む蓄積手段６８を備え、また、操作する上で操作者を特定することができるような操作者特定手段を備えている場合、操作により画像イメージの移動が実施されたならば、その画像イメージを内部記憶装置６６に記憶し、併せて操作者を特定することのできる情報、操作日時、操作内容を含む付帯情報もともに記憶する。【選択図】  図４
2006054520.tif 000002
【特許請求の範囲】
【請求項１】
読み取った原稿画像を印刷するか、またはネットワーク経由でパーソナルコンピュータに配信することができる電子機器において、
操作手段と、画像を蓄積する蓄積手段と、前記操作手段を操作した操作者を特定する操作者特定手段とを備え、前記操作手段により画像イメージを移動する場合は、前記蓄積手段に、前記画像イメージと前記操作者特定手段により特定した操作者情報と、少なくとも操作日時、操作内容を含んだ付帯情報とを蓄積するようにしたことを特徴とする電子機器。
【請求項２】
前記画像イメージの移動は、原稿画像の印刷であることを特徴とする請求項１記載の電子機器。
【請求項３】
前記画像イメージの移動は、原稿画像のネットワーク経由でのパーソナルコンピュータへの移動であることを特徴とする請求項１記載の電子機器。
【請求項４】
前記画像イメージの移動は、原稿画像のファクシミリ回線経由での相手先ファクシミリ機への移動であることを特徴とする請求項１記載の電子機器。
【請求項５】
前記画像イメージの移動は、原稿画像の外部記憶メディアへの書き込みであることを特徴とする請求項１記載の電子機器。
【請求項６】
前記原稿画像は、スキャナにより読み取った画像、プリンタドライバから送信されてきたプリンタ言語をイメージ化した画像、或いは外部記憶手段に記憶されている画像であることを特徴とする請求項２乃至請求項５の何れか一項に記載の電子機器。
【請求項７】
請求項１に記載の電子機器において、前記操作手段により画像イメージを移動する場合は、前記蓄積手段に前記操作者情報と付帯情報とを蓄積することを通知する通知手段を備えることを特徴とする請求項１乃至請求項６の何れか一項に記載の電子機器。
【請求項８】
前記通知手段は、操作パネルでの音声あるいは文字によるメッセージであることを特徴とする請求項７記載の電子機器。
【請求項９】
前記蓄積手段による画像イメージの蓄積動作は、有効になる時間帯、曜日をプログラムすることができることを特徴とする請求項１記載の電子機器。
【請求項１０】
前記蓄積手段に前記画像イメージを蓄積できるかどうか判別する判別手段を備え、前記判別手段により前記蓄積手段に画像イメージを蓄積することができないと判別した場合、前記画像イメージの移動を行わないようにしたことを特徴とする請求項１乃至請求項６の何れか一項に記載の電子機器。
【発明の詳細な説明】
【技術分野】
【０００１】
本発明は、デジタル複写機、プリンタ等の制御装置を含む電子機器に関わり、読み取った原稿画像の印刷や、ネットワーク経由でパーソナルコンピュータへの配信を行うことができる電子機器に好適なものである。
【背景技術】
【０００２】
近年のデジタル複写機やプリンタでは、画像情報を簡単にパーソナルコンピュータ（ＰＣ）等に配信するか、セキュアデジタル（ＳＤ）メモリカードなどの可搬メディアに書き込むことができることが知られている（例えば、特許文献１ないし６参照）。
このような状況から、機密書類等の画像を不正に持ち出して悪用されるなどの脅威に対し、防衛措置を講じる必要がでてきている。機器の不正使用に対しては、機器を使用するときに必要なパスワード等を操作者毎に付与し、部外者による画像印刷や配信等を行えないようにすることが一般的である。
【特許文献１】特開２０００−１７２７２０公報
【特許文献２】特開平０９−１７２５２９号公報
【特許文献３】特開平１０−１８７７５７号公報
【特許文献４】特開平１０−１９０９２１号公報
【特許文献５】特開平１１−１４３９０７号公報
【特許文献６】特開平１１−１５０５５９号公報
【発明の開示】
【発明が解決しようとする課題】
【０００３】
しかしながら、部内の人間であっても機密情報の不正持ち出しは考え得る事態であり、防止策が必要である。
そこで、本発明の目的は、機器を利用するときにその画像を内部記憶装置に記憶するとともに、その操作をした日時や内容、操作者を併せて記録することにより、情報の不正持ち出しを抑止する電子機器を提供することにある。
【課題を解決するための手段】
【０００４】
上記の課題を解決するために、請求項１に記載の発明は、読み取った原稿画像を印刷するか、またはネットワーク経由でパーソナルコンピュータに配信することができる電子機器において、操作手段と、画像を蓄積する蓄積手段と、前記操作手段を操作した操作者を特定する操作者特定手段とを備え、前記操作手段により画像イメージを移動する場合は、前記蓄積手段に、前記画像イメージと前記操作者特定手段により特定した操作者情報と、少なくとも操作日時、操作内容を含んだ付帯情報とを蓄積するようにしたことを特徴とする。
また請求項２に記載の発明は、前記画像イメージの移動は、原稿画像の印刷であることを特徴とする。
また請求項３に記載の発明は、前記画像イメージの移動は、原稿画像のネットワーク経由でのパーソナルコンピュータへの移動であることを特徴とする。
また請求項４に記載の発明は、前記画像イメージの移動は、原稿画像のファクシミリ回線経由での相手先ファクシミリ機への移動であることを特徴とする。
また請求項５に記載の発明は、前記画像イメージの移動は、原稿画像の外部記憶メディアへの書き込みであることを特徴とする。
また請求項６に記載の発明は、前記原稿画像は、スキャナにより読み取った画像、プリンタドライバから送信されてきたプリンタ言語をイメージ化した画像、或いは外部記憶手段に記憶されている画像であることを特徴とする。
また請求項７に記載の発明は、請求項１に記載の電子機器において、前記操作手段により画像イメージを移動する場合は、前記蓄積手段に前記操作者情報と付帯情報とを蓄積することを通知する通知手段を備えることを特徴とする。
また請求項８に記載の発明は、前記通知手段は、操作パネルでの音声あるいは文字によるメッセージであることを特徴とする。
また請求項９に記載の発明は、前記蓄積手段による画像イメージの蓄積動作は、有効になる時間帯、曜日をプログラムすることができることを特徴とする。
また請求項１０に記載の発明は、前記蓄積手段に前記画像イメージを蓄積できるかどうか判別する判別手段を備え、前記判別手段により前記蓄積手段に画像イメージを蓄積することができないと判別した場合、前記画像イメージの移動を行わないようにしたことを特徴とする。
【発明の効果】
【０００５】
本発明によれば、機器を利用するときにその画像を内部記憶装置に記憶するとともに、その操作をした日時や内容、操作者を併せて記録することにより、情報の不正持ち出しを抑止することが可能となる。
【発明を実施するための最良の形態】
【０００６】
以下、図面を参照して、本発明の実施の形態を詳細に説明する。図１は本発明に関わる画像処理装置を示す概念図である。読み取りユニット２０は、圧板上に置かれた原稿をスキャンするためのユニットである。
読み取りユニット２０は原稿を載置するコンタクトガラス６と光学走査系で構成されており、光学走査系には、露光ランプ２１、第１ミラー２２、レンズ２３、ＣＣＤイメージセンサ２４等で構成されている。
露光ランプ２１および第１ミラー２２は図示しない第１キャリッジ上に固定され、第２ミラー２５および第３ミラー２６は図示しない第１キャリッジ上に固定されている。原稿像を読み取るときには、光路長が変わらないように、第１キャリッジと第２キャリッジとが２対１の相対速度で機械的に走査される。
この光学走査系は、図示しないスキャナ駆動モータにて駆動される。原稿画像は、ＣＣＤイメージセンサ２４によって読み取られ、電気信号に変換されて処理される。
シート原稿を自動的に読み取るための自動原稿送り装置Ａにおいて、原稿台Ｂに置かれた原稿は給送ローラＣによって原稿読み取りセンサＦの位置に送り込まれる。原稿はそのまま一定の速度で原稿読み取りセンサＦの上を通過し、このとき原稿の画像が原稿読み取りセンサＦによって読み取られる。
【０００７】
読み取られた画像データはＭＴＦ補正、フィルタ処理、圧縮等の画像処理を行った後に順次画像メモリに蓄えられる。本実施の形態では画像読み取りセンサＦは密着型の等倍ＣＣＤデバイス等を想定している。
書き込みユニット２７はレーザ出力ユニット２８、結像レンズ２９、ミラー３０で構成され、レーザ出力ユニット２８の内部には、レーザ光源であるレーザダイオードおよびモータによって高速で定速回転する多角形ミラー（ポリゴンミラー）を含んでいる。書き込みユニット２７から出力されるレーザ光が画像作像系の感光体１５に照射される。
感光体１５に作像された画像を印刷する手順はおおよそ以下の通りである。すなわち、第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
メモリ上の画像データは、書き込みユニット２７からのレーザによって感光体１５に書き込まれ、現像ユニット４５を通過することによってトナー像が形成される。そして、転写紙は感光体１５の回転と等速で搬送ベルト１６によって搬送されながら、感光体１５上のトナー像が転写される。
その後、定着ユニット１７にて画像を定着させ、排紙ユニット１８によってフィニッシャ４６に排出される。定着ユニット１７はローラの薄肉化と大電力ヒータにより数秒で定着可能になるように構成されている。
【０００８】
図２は転写紙の両面に画像を作像する場合の転写紙の流れを説明する概略図である。転写紙の両面に画像を作像する場合は、各給紙トレイ８〜１０から給紙され、作像された転写紙を反転経路切り換え爪４２を切り換えることによりフィニッシャ４６側に導かないで、両面入紙搬送路３３に搬送する。
反転ユニット３２でスイッチバック反転し、用紙揃えジョガー４３で両サイドを揃えられた後に、両面搬送モータ４４で駆動される両面搬送ユニット３１に送る。両面搬送ユニット３１に送られた転写紙は再度図１に示した縦搬送ユニット１４に送られて裏面に画像を印刷された後に排紙される。
また、転写紙を反転して排出する場合は上記の反転ユニット３２でスイッチバック反転した転写紙を両面ユニットに送らずに反転排紙搬送路３４に送り出して排紙する。本体から排紙される転写紙はフィニッシャ４６に排紙される。
フィニッシャ４６に排紙された転写紙をステープル処理する場合、いったんステープルスタックトレイ３５にスタックされる。すべての転写紙がステープルスタックトレイ３５に溜められた後、この用紙束はステープラユニット３６により綴じられて上排出トレイ３７または、下排出トレイ３８に排出される。
ステープル動作を行わない場合、転写紙はストレート排紙用搬送路４１を通り、同じように排紙トレイ３７、３８に排紙される。排紙トレイ３７、３８は上下に移動することにより、ステープルトレイあるいはストレート排紙搬送路からの転写紙を選択的にどちらかに排紙することができる。
また、上排紙トレイ３７および下排紙トレイ３８に印刷済みの転写紙が残っているかどうかを検出するための上排紙トレイ用紙検知手段３９および下排紙トレイ用紙検知手段４０が設けられている。
【０００９】
図３は図１に示した本実施の形態に係る画像処理装置の制御ユニットの主な部分を示すブロック図である。メインＣＰＵ４７が、操作部４８の情報入力（キー入力）４９〜５２、表示出力（液晶ディスプレイ）５３、ＡＤＦ  Ａの制御、メインモータ５４等の各種負荷制御、フィニッシャ４６との通信制御等を行っている。
図３には、さらに、両面搬送モータ４４、反転経路切り換え爪ソレノイド５５、排紙先切り換え爪ソレノイド５６、揃えジョガー駆動モータ５７、搬送モータ５８が示されている。
図４は画像処理部についての制御回路を示すブロック図である。ＡＤＦ内のＣＣＤイメージセンサ２４で読み取られた画像信号は、Ａ／Ｄコンバータ６１にてデジタル信号に変換される。
デジタル信号に変換された画像信号は、シェーディング補正６２がなされた後、画像処理部６３にてＭＴＦ補正、及びγ補正等がなされる。変倍処理部７２を経由した画像信号は変倍率に合せて拡大縮小され画像メモリコントローラ６５へ流れる。
メモリコントローラ６５に入ってきた画像は一次圧縮処理を掛けられてから画像ページメモリ６６に書き込まれる。ここまでの動作は、原稿読み込みを開始するとそのページすべてを画像ページメモリ６６に書き込むまで停止することなく処理される。
画像ページメモリ６６に書き込まれた画像イメージ（画像データ）は２次圧縮６７を行ってからＨＤＤ６８に書き込まれる。この動作はスキャナ（読み取りユニット）２０から画像ページメモリ６６に画像を書き込む動作とは同期せずに行うことができるように構成されている。
つまり、画像イメージが画像ページメモリ６６に入った後は、ＨＤＤ６８がドライブレディー状態になっていれば任意のタイミングでＨＤＤ６８に転送可能である。
また、このとき画像ページメモリ６６に書き込まれた画像データは、ページごとにＪＰＥＧ（ジェイペグ）やＴＩＦＦ（ティフ）などの汎用画像フォーマットでイメージが作られ、これもＨＤＤ６８に保存される。保存された画像は、操作部４８（図３）からの操作によりＰＣのフォルダ等に配信することができる。
以上の動作はスキャナ２０から原稿を読み込む動作に関するものであるが、ネットワーク経由でプリンタ印刷要求を行う場合は以下のように動作する。すなわち、ネットワーク経由で送信されてきたページ記述言語（ＰＤＬ）は、その内容がＣＰＵ４７により解析されてビットマップ画像データに変換される。
画像データは画像ページメモリ６６上に書き込まれると同時に、２次圧縮６７後ＨＤＤ６８にも保存される。また、コピーのときと同様に画像ページメモリ６６の画像はＴＩＦＦなどのフォーマットでサムネイル化された後にＨＤＤ６８に保存される。
画像メモリに書き込まれた画像を印刷する場合は、画像メモリからメモリコントローラ６５に画像データが送られて、そこから書き込みγ補正ユニット７１を経由し書き込みユニット２７に送られる。
書き込みユニット２７に送られた画像データは感光体１５（図１）上に潜像を作成し、これを現像化することによってコピー画像を得る。画像を印刷しない場合（単に蓄積だけしておく場合）は、上記印刷動作は行わない。
【００１０】
図５は画像処理についての制御を説明するフローチャートである。
電子機器を操作する操作者により操作部４８のコピー画面表示ボタンを押し下げられると（Ｓ１）、操作者を特定するために予め決められているユーザコード及びパスワードの入力を促し（Ｓ２）、次にそのコードに対して設定されているパスワードが入力されると、パスワードが一致したかどうか判断し（Ｓ３）、一致した場合にそれ以降の操作ができるようになる。
例えば、プリンタ印刷の場合は、ＰＣのプリンタドライバ画面で同じようにユーザコードとパスワードを入力し、そのデータが機器に送られてきた段階で登録されているユーザコード、パスワードと比較し、一致している場合のみ印刷可能となる。
ここで、入力されるユーザコードとパスワードと、登録されているユーザコードとパスワードとが一致したかどうか判断する判断手段により操作者特定手段が構成される。
次に、紙原稿をコピーする場合を例に取り、実際の動作を説明する。コピーキーを押してコピー画面に切り換える。ユーザコードとパスワードを入力し、内部のパスワード情報と一致するとコピー可になる。
このとき、現在の時刻が画像記録時間帯に入っているかどうか判断し（Ｓ４）、入っていないならば、通常コピー可能である（Ｓ５）。予め決められた時間帯（画像記録時間帯）であれば、ＨＤＤ６８に上記読み取り画像を蓄積可能か、すなわちＨＤＤ容量に空きがあるかどうか判断する（Ｓ６）。
ＨＤＤ容量が足りない場合は、ＨＤＤ空きがないことを警告メッセージとして表示してコピー禁止とする（Ｓ７）。図６は警告メッセージを示す概略図である。
ＨＤＤ容量に空きがある場合、メインＣＰＵ４７は、通知手段である操作部４８に“コピーした画像は全て使用者情報とともに記録されます”等のメッセージを表示させる（Ｓ８）。図７はＨＤＤ容量に空きがある場合のメッセージ表示を示す概略図である。
【００１１】
その後、原稿をセットしコピーを実行すると（Ｓ９）、読み取られた画像はメモリ上に展開されそのまま印刷されるが、同時にその画像をＨＤＤ６８に記憶する。このとき同時に、操作者を特定するためのユーザコードとそのときの日時（操作日時）、コピー動作（操作内容）であることを示す付帯情報も記憶される（Ｓ１０）。最終原稿かどうかチェックし（Ｓ１１）、最終原稿ならばコピーを終了する。
コピー途中でＨＤＤ６８に空きがなくなった場合もその時点でコピー禁止となる。機内に蓄積されている文書の場合、これを印刷したり外部に送信したりすることができるが、その操作を行う画面でも上記のように画像の印刷、送信とともにその画像の蓄積とユーザコードの記録等が行われる。
本発明は、具体的には、画像イメージが不正に取得された場合でも、取得操作を行った者や日時の特定により、追跡調査を可能にする。また、紙原稿画像の不正取得の追跡調査を可能にする。
さらに、プリンタデータ画像の不正取得の追跡調査を可能にする。またさらに、蓄積された画像データの不正取得の追跡調査を可能にする。
本発明によれば、不正に画像データを取得・送信しようとする操作者に対して、どのような画像を扱ったかと操作者情報を記録していることを知らせることにより、不正操作を抑止する。
また、本発明が有効になる時間帯、曜日等をプログラムすることができるようにしておけば、就業時間中など、時間帯により不正使用の懸念が少ないことが解っている場合、その時間帯の操作に対しては画像蓄積を行わないことにより、画像処理速度の低下や蓄積手段が早期に容量不足になるような事態を抑える。さらに、画像の記録を妨げるために故意に画像フルにして画像操作を行うことを防止することもできる。
【００１２】
このように、本発明は、読み取った原稿画像を印刷するか、ネットワーク経由でパーソナルコンピュータに配信する機能を有している複写機・プリンタを含む電子機器において、内部に画像を蓄積するＨＤＤを含む蓄積手段と、操作する上で操作者を特定することができるような操作者特定手段と、を備え、操作により画像イメージ（画像データ）の移動が実施されたならば、その画像イメージを内部記憶装置に記憶し、併せて操作者を特定することのできる情報、操作日時、操作内容を含む付帯情報もともに記憶するようにしたものである。
この場合の画像イメージの移動とは、スキャナにより読み取った原稿画像の印刷（用紙へのイメージの移動）や、ネットワーク経由でのパーソナルコンピュータへの移動、ファクシミリ回線経由での相手先ファクシミリ機への移動、ＳＤカードなど別の記憶メディアへの書き込みを含むものである。
また、プリンタドライバから送信されてきたプリンタ言語をイメージ化した画像の印刷（用紙へのイメージの移動）や、ネットワーク経由でのパーソナルコンピュータへの移動、ファクシミリ回線経由での相手先ファクシミリ機への移動、ＳＤカードなど別の記憶メディアへの書き込みなども含むものとされる。
さらに、ＨＤＤやＳＤカード等の外部記憶手段に記憶されている画像の印刷（用紙へのイメージの移動）、ネットワーク経由でのパーソナルコンピュータへの移動、ファクシミリ回線経由での相手先ファクシミリ機への移動、ＳＤカードなど別の記憶メディアへの書き込みなども含むものとされる。
【図面の簡単な説明】
【００１３】
【図１】本発明に関わる画像処理装置を示す概念図。
【図２】転写紙の両面に画像を作像する場合の転写紙の流れを説明する概略図。
【図３】図１の本発明に関わる画像処理装置の制御ユニットの主な部分を示すブロック図。
【図４】画像処理部についての制御回路を示すブロック図。
【図５】画像処理についての制御を説明するフローチャート。
【図６】警告メッセージを示す概略図。
【図７】ＨＤＤ容量に空きがある場合のメッセージ表示を示す概略図。
【符号の説明】
【００１４】
４７  メインＣＰＵ、６８  蓄積手段（ＨＤＤ）、６６  内部記憶装置（画像ページメモリ）
【図１】
2006054520.tif 000003
【図２】
2006054520.tif 000004
【図３】
2006054520.tif 000005
【図４】
2006054520.tif 000006
【図５】
2006054520.tif 000007
【図６】
2006054520.tif 000008
【図７】
2006054520.tif 000009